(57)【特許請求の範囲】
【請求項１】
油分離処理槽から下水道管との間に介在される排水管の詰まりを解除する排水管の詰まり解除装置であって、前記排水管の詰まり解除装置は、油分離処理槽のトラップ部に立設されたパイプ部に着脱可能に装着される装着部と、前記装着部に内部が連通した状態に接続されたパイプ状の連接管と、前記連接管に内部が連通した状態に接続され押圧されることにより体積が小さくなる中空の水押出手段と、前記水押出手段の上端に内部が連通した状態に接続され前記排水管の詰まり解除装置に水を供給する開口部が形成されたパイプ状の貯水管と、前記水押出手段を縮小させた時に前記水押出手段内の水が前記水押出手段から溢れるのを防止する第１の弁体と、前記排水管の詰まり解除装置に設けられて前記排水管の詰まり解除装置内の空気を前記排水管の詰まり解除装置内に水を供給することで抜く空気抜き手段と、前記空気抜き手段に供給された水が前記水押出手段を縮小させた時に前記空気抜き手段から溢れるのを防止する第２の弁体とを少なくとも備えたことを特徴とする排水管の詰まり解除装置。
【請求項２】
前記連接管は、摺動可能で外筒となる第１の連接管３ａに内筒となる第２の連接管３ｂが収納されている請求項１に記載の排水管の詰まり解除装置。
【発明の詳細な説明】
【技術分野】
【０００１】
本発明は、排水管の詰まり解除装置に関するものであり、更に詳しくは、油分離処理槽から下水道管との間に介在される排水管の詰まりを解除する排水管の詰まり解除装置に関するものである。
【背景技術】
【０００２】
従来、油分離処理槽は、調理に使用したり調理する材料により発生した油脂を下水道にそのまま排水すると下水道が汚れるとともに、川や海も汚すとの理由でホテルのレストラン等の大きな施設の厨房、焼肉店、ラーメン店などに設置されている。油分離処理槽は、油脂と水の比重差によって油脂と水を分離するだけのものであり、水に混在した油脂は油分離処理槽に残留せず、油分離処理槽から下水道管との間に介在される排水管に流れるのであり、長期間使用したりして大量の油脂を排出していると、特に、排水管の流速が低下するコーナー部に油脂がラード状になって付着し、排水管に詰まりが発生して最終的には排水できなくなるという問題点があった。
【０００３】
上記問題点を解消するために、例えば、特許文献１に示す詰まり配管の貫通装置が提案されたが、このものは、空気により配管内に水圧変動を与えて異物の除去を行うようにしたものであるが、空気は圧縮されるとともに水に気泡となって混在してしまうものであり、大きな水圧変動を与えることができず、異物を効率よく除去できないものであり、排水管に詰まった油を押し出すことができず、排水管に詰まりを解消することができないという問題点があった。
【先行技術文献】
【特許文献】
【０００４】
【特許文献１】特開２０００−２５７１３２号公報
【発明の概要】
【発明が解決しようとする課題】
【０００５】
本発明は、上記問題点を解決するためになされたものであり、油分離処理槽から下水道管との間に介在される排水管の詰まりを解除することができる排水管の詰まり解除装置を提供することにある。
【課題を解決するための手段】
【０００６】
上記課題を解決するために、本発明の排水管の詰まり解除装置は、油分離処理槽から下水道管との間に介在される排水管の詰まりを解除する排水管の詰まり解除装置であって、前記排水管の詰まり解除装置は、油分離処理槽のトラップ部に立設されたパイプ部に着脱可能に装着される装着部と、前記装着部に内部が連通した状態に接続されたパイプ状の連接管と、前記連接管に内部が連通した状態に接続され押圧されることにより体積が小さくなる中空の水押出手段と、前記水押出手段の上端に内部が連通した状態に接続され前記排水管の詰まり解除装置に水を供給する開口部が形成されたパイプ状の貯水管と、前記水押出手段を縮小させた時に前記水押出手段内の水が前記水押出手段から溢れるのを防止する第１の弁体と、前記排水管の詰まり解除装置に設けられて前記排水管の詰まり解除装置内の空気を前記排水管の詰まり解除装置内に水を供給することで抜く空気抜き手段と、前記空気抜き手段に供給された水が前記水押出手段を縮小させた時に前記空気抜き手段から溢れるのを防止する第２の弁体とを少なくとも備えたことを特徴とする。
又、本発明にあっては、前記連接管は、摺動可能で外筒となる第１の連接管に内筒となる第２の連接管が収納されていることが望ましい。
【発明の効果】
【０００７】
本発明の排水管の詰まり解除装置は、油分離処理槽から下水道管との間に介在される排水管の詰まりを解除する排水管の詰まり解除装置であって、前記排水管の詰まり解除装置は、油分離処理槽のトラップ部に立設されたパイプ部に着脱可能に装着される装着部と、前記装着部に内部が連通した状態に接続されたパイプ状の連接管と、前記連接管に内部が連通した状態に接続され押圧されることにより体積が小さくなる中空の水押出手段と、前記水押出手段の上端に内部が連通した状態に接続され前記排水管の詰まり解除装置に水を供給する開口部が形成されたパイプ状の貯水管と、前記水押出手段を縮小させた時に前記水押出手段内の水が前記水押出手段から溢れるのを防止する第１の弁体と、前記排水管の詰まり解除装置に設けられて前記排水管の詰まり解除装置内の空気を前記排水管の詰まり解除装置内に水を供給することで抜く空気抜き手段と、前記空気抜き手段に供給された水が前記水押出手段を縮小させた時に前記空気抜き手段から溢れるのを防止する第２の弁体とを少なくとも備えたことを特徴とするものであるから、排水管の詰まり解除装置の装着部と、水押出手段と、貯水管とに貯められた水のみを水押出手段を縮めることで排水管内に勢いよく押し出すことができるのであり、排水管の詰まり解除装置の貯水管内の水が無くなった場合は、第一の弁体を開いて貯水管の開口部から給水すれば簡単に何度でも水押出手段を縮めることで排水管内に勢いよく押し出すことができるのであり、排水管の詰まりを確実に解除できるという効果がある。
又、請求項２のように、前記連接管は、摺動可能で外筒となる第１の連接管に内筒となる第２の連接管が収納されているものは、排水管の詰まり解除装置の装着部と、水押出手段と、貯水管とに貯められた水のみを水押出手段及び貯水管を縮めることで排水管内に勢いよく押し出すことができるのであり、排水管の詰まりを確実に解除できるという効果がある。
【図面の簡単な説明】
【０００８】
【図１】排水管を地中に埋設した状態図
【図２】排水管の斜視図
【図３】本発明の排水管の詰まり解除装置の一実施例の正面図
【図４】同上の排水管の詰まり解除装置の要部の断面図
【図５】同上の排水管の詰まり解除装置を使用して排水管の詰まり解除する際に使用する排水管のぬめり除去装置の正面図
【図６】同上の排水管のぬめり除去装置を排水管に取り付ける前の正面図
【図７】同上の排水管のぬめり除去装置を排水管に取り付けた正面図
【発明を実施するための形態】
【０００９】
以下、本発明の実施の形態を図１乃至図７に基づいて詳述すると、排水管の詰まり解除装置１は、油分離処理槽Ｙから下水道管Ｇとの間に介在される排水管Ｈの詰まりを解除する排水管の詰まり解除装置であって、排水管Ｈの詰まり解除装置１は、油分離処理槽Ｙのトラップ部に立設されたパイプ部Ｐに着脱可能に装着される装着部２と、装着部２に内部が連通した状態に接続されたパイプ状の連接管３と、連接管３に内部が連通した状態に接続され押圧されることにより体積が小さくなる中空の水押出手段４と、水押出手段４の上端に内部が連通した状態に接続され排水管の詰まり解除装置１の水押出手段４に水を供給する開口部５が形成されたパイプ状の貯水管６と、水押出手段４を縮小させた時に水押出手段４内の水が水押出手段４から溢れるのを防止する第１の弁体７と、排水管の詰まり解除装置１に設けられて排水管の詰まり解除装置１内の空気を排水管の詰まり解除装置１内に水を供給することで抜く空気抜き手段８と、空気抜き手段８に供給された水が水押出手段４を縮小させた時に空気抜き手段８から溢れるのを防止する第２の弁体９とを備えている。
また、管内動流水量として一気に収縮拡張することで、１．３リットル前後の動流を確実に起こし、上下前後左右管内全体洗浄をする。
【００１０】
装着部２は、合成樹脂材でできており、油分離処理槽Ｙのトラップ部に立設されたパイプ部Ｐに着脱可能に装着されるように直線部２ａと傾斜部２ｂと直線部２ｃとで略台形形状に形成されており、パイプ部Ｐに被せた後に離脱防止テープＲを装着部２とパイプ部Ｐ間に架設することで不用意に外れないようになっているが、これに代えてネジを装着部２とパイプ部Ｐに形成することで、装着部２とパイプ部Ｐを着脱自在にするとともに、不用意に外れないようにしても構わないものである。
【００１１】
連接管３は、合成樹脂材でパイプ状に形成されており、装着部２に接着固定されている。連接管３は、摺動可能で外筒となる１００ミリメートル乃至１３０ミリメートルの第１の連接管３ａに内筒となる第２の連接管３ｂが収納されており、伸縮自在となる２本の連接管で構成されているが、２本以上でも構わないものである。
【００１２】
連接管３には収縮自在なゴムで円筒状に形成された水漏れ防止手段１０が収納されており、水漏れ防止手段１０の自由端は水押出手段４の下端部からパイプ状に突出して形成された取付部４ｃに固定されるとともに水漏れ防止手段１０の他端は第２の連接管３ｂに固定されている。水漏れ防止手段１０の固定方法は、合成樹脂でできたバンドで止めたり接着固定する方法が一般的である。水漏れ防止手段１０は防水できるので水漏れが防止できるとともに、内筒となる第２の連接管３ｂが離脱するのを防止しているが、内筒状の水漏れ防止手段に代えて紐状のものを用いることで、第２の連接管３ｂが離脱するのを防止するようにしても構わないものである。この場合は、外筒となる第１の連接管３ａの下端に第２の連接管３ｂに接触して水漏れを防止する環状のパッキン１１を設ければよい。
【００１３】
水押出手段４は、合成樹脂材で厚肉に形成されたドーム状で硬質の押圧部４ａと、押圧部４ａの下端に合成樹脂材で薄肉に形成された断面逆八の字形で収縮自在な収縮部４ｂと、パイプ状の取付部４ｃとで構成されている。押圧部４ａと収縮部４ｂと取付部４ｃとはそれぞれ別体に形成され、接着固定されていることが形状及び肉厚を自由に設計できるので望ましい。
【００１４】
貯水管６は、内径が２０ミリメートルのパイプであって、水押出手段４の押圧部４ａの頂点に押圧部４ａと一体的に形成され貯水管６よりも径大に形成された貯水管６との連結部４ｄに接着により固定されている。
【００１５】
空気抜き手段８は、手で押圧する押圧部４ａの頂点に押圧部４ａと一体的に形成され貯水管６よりも径大に形成された貯水管６との連結部４ｄの側部に接着により連結されている。
【００１６】
第１の弁体７及び第２の弁体９は、ボールバルブで構成されており、摘みを回動させることで貯水管６と空気抜き手段８を開閉させるものである。
【００１７】
排水管の詰まり解除装置１は、地中に埋設された点検口を有する縦管Ｔと、縦管Ｔの下端に設けられて縦管Ｔを連結して縦管Ｔと下水道管Ｇとを連通させる横管Ｋとからなる排水管のぬめり除去装置１２と併用されるのが望ましいものであって、排水管のぬめり除去装置１２は、縦管Ｔの点検口Ｔａから縦管Ｔ内に導入されて横管Ｋを閉塞する閉塞手段１３と、閉塞手段１３により横管Ｋが閉塞されたときに縦管Ｔから水が溢れるのを防止するオーバーフロー手段１４とを備えている。
【００１８】
閉塞手段１３は、縦管Ｔ内に脱着自在に取り付けられるものであって、縦管Ｔ内に露出した横管Ｋの一方の開口部Ｋａを閉塞する第１のパッキン１５と、第１のパッキン１５を横管Ｋの開口部Ｋａの周縁に押圧する押圧手段１６と、第１のパッキン１５の先端に第１のパッキン１５に対し近接遠離自在に設けられた第２のパッキン１７とでできており、第２のパッキン１７は水押出手段４の動作に追従して第１のパッキン１５に対し近接遠離するように構成されている。第１のパッキン１５の先端には支軸１８が形成されており、第１のパッキン１５の支軸１８に第２のパッキン１７が水押出手段４で攪拌される水の動きに追従して摺動するように構成されており、水の動きを妨げることなく、水がスムーズに攪拌されて横管Ｋ及び縦管Ｔが効率良く洗浄されるようになっている。
【００１９】
排水管のぬめり除去装置１２は、縦管Ｔの点検口から縦管Ｔ内に導入されて横管Ｙを閉塞する閉塞手段１３と、閉塞手段１３により横管Ｋが閉塞されたときに縦管Ｔから水が溢れるのを防止するオーバーフロー手段１４とを備えている。縦管Ｔには、接続管Ｓを介して便器、浴槽、洗面化粧台、システムキッチンなどの住宅機器、洗濯機などの電気機器の排水孔が連結されており、合成樹脂材で構成されている。横管Ｋは、合成樹脂材で構成されており、下水道管Ｇに連通している。浴槽ＹＯ及び洗濯機ＳＮが取り付けられる接続管Ｓと縦管Ｔとの間には、掃除用の第２の縦管ＴＤが設けられている。
【００２０】
閉塞手段１３は、縦管Ｔの点検口Ｔａから挿入されて縦管Ｔ内に脱着自在に取り付けられるものであって、縦管Ｔ内に露出した横管Ｋの一方の開口部ｋａを閉塞する第１のパッキン１５と、第１のパッキン１５を開口部Ｋａの周縁に押圧する押圧手段１６とを備えている。押圧手段１６は、縦管２の内面に保持される対となった保持手段１９と、保持手段１９間に配置されて保持手段１９の間隔を調整する調整手段２０と、調整手段２０を操作する操作手段２１とよりなりなっている。第１のパッキン１５は、長尺に形成された保持手段１９の片側にねじにより取り付けられている。
【００２１】
オーバーフロー手段１４は、第１のパッキン１５を貫通する貫通孔に連結されるオーバーフロー管２２を備えている。オーバーフロー管２２はラジオのアンテナのような高さ調整部２３が設けられて高さ調整可能となっており、オーバーフロー管２２から溢れる水の水位を起点桝Ｔａの所定位置に保持することができるようになっている。高さ調整部２３は蛇腹であっても構わないものであり、縦管Ｔの開口端から手を入れて高さ調整部２３の高さを変えることができるようにハンドル部２４が設けられている。
【００２２】
第１のパッキン１５は、横管Ｋの開口部Ｋａを閉塞するようゴムのような軟質材で構成されており、外側の径が内側の径よりも大きくなるテーパー状に形成されており、開口部Ｋａに密着するようになっている。
【００２３】
調整手段２０は、ジャッキであってねじ２５により連結材２６の連結部２７には保持手段１９の裏面がそれぞれ対面するように取り付けられている。操作手段２１は、ジャッキの雄ネジ部が延出したものであり、縦管Ｔの開口端から工具を挿入して保持手段１９の間隔を調整することができるようになっており、第１のパッキン１５で横管Ｋの開口部Ｋａを閉塞することができる。
【符号の説明】
【００２４】
１  排水管の詰まり解除装置
２  装着部
３  連接管
４  水押出手段
５  開口部
６  貯水管
７  第１の弁体７
８  空気抜き手段８
９  第２の弁体
【要約】      （修正有）【課題】油分離処理槽から下水道管との間に介在させる排水管の詰まりを解除することができ、水に気泡が混在しない排水管の詰まり解除装置を提供する。【解決手段】押圧されることにより体積が小さくなる中空の水押出手段４に水を供給する開口部５が形成されたパイプ状の貯水管６と、排水管の詰まり解除装置１内の空気を排水管の詰まり解除装置１内に水を供給することで抜く空気抜き手段８とを設ける。【選択図】図３【図１】
0005866472.tif 000002
【図２】
0005866472.tif 000003
【図３】
0005866472.tif 000004
【図４】
0005866472.tif 000005
【図５】
0005866472.tif 000006
【図６】
0005866472.tif 000007
【図７】
0005866472.tif 000008